(57)【要約】【課題】網目を小さくしても送風機による騒音を著しく抑制することができるファンガードを提供する。【解決手段】送風機６に対応して設けられ、枠桟材２２と、格子状に組み合わされた支持桟材２３と補助桟材２４とから成るファンガード１において、支持桟材２３及び補助桟材２４は、両側面が送風機６により構成される風の風上側において相互に近接し、風下側においては離間するよう、当該側面のうちの少なくとも一方が傾斜面２３Ａ又は２４Ａとされている。【選択図】      図４
2004251151.tif 000002
【特許請求の範囲】
【請求項１】
送風機に対応して設けられ、格子状に組み合わされた桟材から成るファンガードであって、
前記桟材は、両側面が前記送風機により構成される風の風上側において相互に近接し、風下側においては離間するよう、当該側面のうちの少なくとも一方が傾斜面とされていることを特徴とするファンガード。
【請求項２】
前記傾斜面の前記風上側の端部における前記桟材の幅を、前記傾斜面の前記風下側の端部における前記桟材の幅の３０％以上８０％以下としたことを特徴とする請求項１のファンガード。
【請求項３】
前記傾斜面の前記風下側の端部から前記桟材の風下側の端部までの距離を、前記風の流通方向における前記桟材の全寸の１０％以上４０％以下としたことを特徴とする請求項１又は請求項２のファンガード。
【請求項４】
前記桟材の風上側及び風下側の端面を円弧形状としたことを特徴とする請求項１、請求項２又は請求項３のファンガード。
【発明の詳細な説明】
【０００１】
【発明の属する技術分野】
本発明は、例えば冷却装置などに使用される送風機のファンガードに関するものである。
【０００２】
【従来の技術】
従来より、冷却装置は、本体内に冷却器と、電動機と、該電動機に取り付けられた複数枚の羽をもつ送風機と、当該送風機と電動機との周囲に設けられたファンケーシングと、送風機の略正面に設けられたファンガードとを備えていた（特許文献１参照）。
【０００３】
かかる場合において、鋼板製のファンケーシングは、冷却器、電動機及び送風機を内部に収容し、略４隅に脚状の取付部を有する金属ワイヤ製のファンガードがファンケーシングの吐出口側にネジ止めされて固定される。このファンガードは、金属製ワイヤをその交叉部でスポット溶接して組み立てられたもので網目状とされていた。
【０００４】
【特許文献１】
特開２００１−２７４７２号公報
【０００５】
【発明が解決しようとする課題】
しかしながら、従来のファンガードでは、安全性を慎重に考慮すると、網目が大きすぎるため、作業者の手指がファンガード内に入り、手指の損傷を招くおそれがあった。そのため、手指が入らない程度の網目を形成したファンガードを当該冷却装置に取り付けたが、かかる場合には、送風機による風の抵抗が著しく大きくなり、騒音が発生する問題があった。
【０００６】
そこで、本発明は、従来の技術的課題を解決するために成されたものであり、網目を小さくしても送風機による騒音を著しく抑制することができるファンガードを提供することを目的とする。
【０００７】
【課題を解決するための手段】
本発明のファンガードは、送風機に対応して設けられ、格子状に組み合わされた桟材から成るものであって、桟材は、両側面が送風機により構成される風の風上側において相互に近接し、風下側においては離間するよう、当該側面のうちの少なくとも一方が傾斜面とされていることを特徴とする。
【０００８】
本発明によれば、送風機に対応して設けられ、格子状に組み合わされた桟材から成るファンガードにおいて、桟材は、両側面が送風機により構成される風の風上側において相互に近接し、風下側においては離間するよう、当該側面のうちの少なくとも一方が傾斜面とされているので、送風機によって構成される風の風上側における桟材端面の面積を減少させることができるようになる。
【０００９】
また、桟材は側面が傾斜しながら風下側に向けて徐々に幅広となるので、側面に当たる風の抵抗をも減少させることができ、全体として騒音の低下を図ることができるようになる。
【００１０】
更にまた、全体を幅狭とせず、風上側のみ幅狭で風下側は幅広としたことにより、ファンガード自体の強度維持を図ることができるようになる。
【００１１】
請求項２の発明のファンガードは、上記発明において、傾斜面の風上側の端部における桟材の幅を、傾斜面の風下側の端部における桟材の幅の３０％以上８０％以下としたことを特徴とする。
【００１２】
請求項２の発明によれば、上記発明において、傾斜面の風上側の端部における桟材の幅を、傾斜面の風下側の端部における桟材の幅の３０％以上８０％以下とすることにより、側面に当たる風の抵抗を減少させることができ、騒音の低下を図ることができるようになる。
【００１３】
請求項３の発明のファンガードは、上記各発明において、傾斜面の風下側の端部から桟材の風下側の端部までの距離を、風の流通方向における桟材の全寸の１０％以上４０％以下としたことを特徴とする。
【００１４】
請求項３の発明によれば、上記各発明において、傾斜面の風下側の端部から桟材の風下側の端部までの距離を、風の流通方向における桟材の全寸の１０％以上４０％以下としたので、十分に側面の傾斜を確保することができ、これによっても当該側面に当たる風の抵抗を減少させることができ、騒音の低下を図ることができるようになる。
【００１５】
請求項４の発明のファンガードは、上記各発明において、桟材の風上側及び風下側の端面を円弧形状としたことを特徴とする。
【００１６】
請求項４の発明によれば、上記各発明において、桟材の風上側及び風下側の端面を円弧形状としたので、より一層、当該桟材に当たる風の抵抗を減少させることができるようになる。
【００１７】
【発明の実施の形態】
次に、図面に基づき本発明の実施形態を詳述する。図１は本発明のファンガード１を適用した冷却ユニットＵの縦断側面図、図２は冷却ユニットＵの平面図、図３は冷却ユニットＵの正面図を示している。冷却ユニットＵは、例えばプレハブ冷凍・冷蔵庫などの冷却貯蔵庫に設置される。
【００１８】
前記冷却ユニットＵは、例えば冷却貯蔵庫を構成する断熱箱体の貯蔵室側の天井面などに設置されており、前面に複数の吐出口３を形成した前面グリル２を備えた外装ケース４内に、図示しない別置きの室外機内に配設される圧縮機や凝縮器などによって構成される冷却装置と周知の冷凍サイクルを構成する冷却器５と、前面グリル２側に冷気を吐出する冷却用送風機６、６（本実施例では２台）とを有している。
【００１９】
そして、この外装ケース４は、例えばアルミニウムなどの板状部材を折曲することにより、両側面及び下面に開口を有する本体７と、本体７の下面開口前部を開閉自在に閉塞するフレームカバー８と、両側面をそれぞれ閉塞する側板９、９とから構成される。本体７の上面略４隅には、冷却ユニットＵを貯蔵室天面に固定する図示しないねじ部材を保持するための保持部１２が取り付けられている。
【００２０】
フレームカバー８の前部には、冷却器５の下方に位置して図示しないドレンパンが設けられており、当該ドレンパンには、冷却器５の除霜運転時に生成されるドレン水を外部に排出するためのドレンホース１４が接続されている。また、フレームカバー８は、中央から後部に渡って上方に傾斜して形成されており、この傾斜した面に冷気吸込口１１が形成されている。
【００２１】
そして、この冷気吸込口１１周縁には、本体７内に配設された冷却器用送風機６、６を保持するためのファンケース１３が設けられ、更に、このファンケース１３には、当該ファンケース１３に保持された冷却器用送風機６、６を貯蔵室側から被覆するための本発明のファンガード１がそれぞれ着脱自在に取り付けられている。尚、冷却器用送風機６は、ファンガード１側から吸い込み、外装ケース４内に取り込んだ空気を冷却器５を介して前面グリル２に形成された吐出口３から吐出するように構成されているものとする。
【００２２】
次に、図４乃至図７を参照して本発明のファンガード１について説明する。図４はファンガード１の正面図、図５はファンガード１の側面図、図６は図４のＡ−Ａ断面図、図７は図４のＢ−Ｂ断面図を示している。本実施例のファンガード１は、例えばＡＢＳ樹脂により形成された枠桟材２２と、複数の支持桟材２３と、複数の補助桟材２４とから構成される。
【００２３】
枠桟材２２は、略円形を呈してファンガード１の本体枠を形成しており、背面には、前記ファンケース１３に着脱自在に固定するための取付爪２２Ａが複数、本実施例では３カ所形成されている。そして、この枠桟材２２には、該枠桟材２２の中心から枠桟材２２に向かって放射状に複数の支持桟材２３が設けられており、各支持桟材２３は、図５に示す如く前方に湾曲し、所定寸法だけ突出して形成される。そして、これら支持桟材２３には、枠桟材２２の内方であって、該枠桟材２２と大きさが異なる同心円を形成し、各支持桟材２３と交差する複数の補助桟材２４が設けられる。これにより、枠桟材２２内に各支持桟材２３と各補助桟材２４とにより格子状に組み合わされて、ファンガード１が形成される。
【００２４】
ここで、図６は図４のＡ−Ａ断面図、即ち補助桟材２４の断面図を示しており、図７は図４のＢ−Ｂ断面図、即ち支持桟材２３の断面図を示している。本実施例において補助桟材２４及び支持桟材２３は、両側面が冷却器用送風機６により構成される風の風上側において相互に近接し、風下側においては離間するように、両側面が傾斜面２４Ａ又は２３Ａとされている。
【００２５】
本実施例では、傾斜面２４Ａの風上側の端部における補助桟材２４の幅は、傾斜面２４Ａの風下側の端部における補助桟材２４の幅の約５０％とし、傾斜面２４Ａの風下側の端部から補助桟材２４の風下側の端部までの距離ｒ１を、風の流通方向における補助桟材２４の全寸Ｒ１の約３０％とした。また、補助桟材２４の四隅は、全て円弧形状とした。
【００２６】
また、傾斜面２３Ａの風上側の端部における支持桟材２３の幅は、傾斜面２３Ａの風下側の端部における支持桟材２３の幅の約７０％とし、傾斜面２３Ａの風下側の端部から支持桟材２３の風下側の端部までの距離ｒ２を、風の流通方向における支持桟材２３の全寸Ｒ２の約３０％とした。また、支持桟材２３の四隅は、全て円弧形状とした。
【００２７】
以上の構成により、前記冷却器用送風機６が運転されると、冷却器用送風機６によってファンガード１の各桟材２２、２３、２４により形成される隙間から外装ケース４内に流入した空気は、前記冷却器５によって冷却され、前面グリル２の吐出口３より図示しない貯蔵室内に吐出され、該貯蔵室内を所定の温度に冷却する。また、貯蔵室内を循環した冷気は、再び冷却ユニットＵのファンガード１から外装ケース４内に帰還する。
【００２８】
ここで、本実施例では、ファンガード１を形成する各桟材２３、２４を格子状に組み合わさせ、各桟材２３、２４は、両側面が送風機６により構成される風の風上側において相互に近接し、風下側においては離間するよう、両側面を傾斜面２３Ａ、２４Ａとしたので、送風機６によって構成される風の風上側における各桟材２３、２４端面の面積を減少させることができるようになる。
【００２９】
特に、各桟材２３、２４は側面が傾斜しながら風下側に向けて徐々に幅広となるので、側面を形成する傾斜面２３Ａ、２４Ａに当たる風の抵抗をも減少させることができ、全体として騒音の低下を図ることができるようになる。
【００３０】
更にまた、全体を幅狭とせず、風上側のみ幅狭で風下側は幅広としたことにより、ファンガード１の網目を細かくするため、桟材２３、２４を比較的細く形成した場合であっても、ファンガード１自体の強度維持を図ることができるようになる。
【００３１】
尚、本実施例では、各桟材２３、２４に形成された傾斜面２３Ａ、２４Ａは、両側面に形成されているが、どちらか一方の側面のみ傾斜面２３Ａ、２４Ａを形成してもよいものとする。
【００３２】
また、本実施例では、ファンガード１を形成する支持桟材２３及び補助桟材２４を、それぞれ傾斜面２３Ａ又は２４Ａの風上側の端部における各桟材２３、２４の幅を、傾斜面２３Ａ又は２４Ａの風下側の端部における各桟材２３、２４の幅の３０％以上８０％以下としたので、より一層、側面に当たる風の抵抗を減少させることができ、騒音の低下を図ることができるようになる。
【００３３】
更にまた、ファンガード１を形成する支持桟材２３及び補助桟材２４を、それぞれ傾斜面２３Ａ、２４Ａの風下側の端部から各桟材２３、２４の風下側の端部までの距離を、風の流通方向における各桟材２３、２４の全寸の１０％以上４０％以下としたので、十分に側面の傾斜を確保することができ、これによっても側面に当たる風の抵抗を減少させることができ、騒音の低下を図ることができるようになる。
【００３４】
また、各桟材２３、２４の風上側及び風下側の端面は円弧形状とされているため、より一層、桟材２３、２４に当たる風の抵抗を減少させることができるようになる。
【００３５】
尚、ファンガード１の格子形状を反転することにより、送風機６が風を吐出する場合であっても、風の抵抗を少なくすることができ、風切り音による騒音を抑制することができるようになる。
【００３６】
【発明の効果】
以上詳述した如く本発明によれば、送風機に対応して設けられ、格子状に組み合わされた桟材から成るファンガードにおいて、桟材は、両側面が送風機により構成される風の風上側において相互に近接し、風下側においては離間するよう、当該側面のうちの少なくとも一方が傾斜面とされているので、送風機によって構成される風の風上側における桟材端面の面積を減少させることができるようになる。
【００３７】
また、桟材は側面が傾斜しながら風下側に向けて徐々に幅広となるので、側面に当たる風の抵抗をも減少させることができ、全体として騒音の低下を図ることができるようになる。
【００３８】
更にまた、全体を幅狭とせず、風上側のみ幅狭で風下側は幅広としたことにより、ファンガード自体の強度維持を図ることができるようになる。
【００３９】
請求項２の発明によれば、上記発明において、傾斜面の風上側の端部における桟材の幅を、傾斜面の風下側の端部における桟材の幅の３０％以上８０％以下とすることにより、側面に当たる風の抵抗を減少させることができ、騒音の低下を図ることができるようになる。
【００４０】
請求項３の発明によれば、上記各発明において、傾斜面の風下側の端部から桟材の風下側の端部までの距離を、風の流通方向における桟材の全寸の１０％以上４０％以下としたので、十分に側面の傾斜を確保することができ、これによっても当該側面に当たる風の抵抗を減少させることができ、騒音の低下を図ることができるようになる。
【００４１】
請求項４の発明によれば、上記各発明において、桟材の風上側及び風下側の端面を円弧形状としたので、より一層、当該桟材に当たる風の抵抗を減少させることができるようになる。
【図面の簡単な説明】
【図１】本発明のファンガードを適用した冷却ユニットの縦断側面図である。
【図２】冷却ユニットの平面図である。
【図３】冷却ユニットの正面図である。
【図４】本発明のファンガードの正面図である。
【図５】ファンガードの側面図である。
【図６】図４のＡ−Ａ断面図である。
【図７】図４のＢ−Ｂ断面図である。
【符号の説明】
Ｒ  冷却ユニット
１  ファンガード
３  吐出口
４  外装ケース
５  冷却器
６  冷却用送風機
２２  枠桟材
２２Ａ  取付爪
２３  支持桟材
２３Ａ、２４Ａ  傾斜面
２４  補助桟材
【図１】
2004251151.tif 000003
【図２】
2004251151.tif 000004
【図３】
2004251151.tif 000005
【図４】
2004251151.tif 000006
【図５】
2004251151.tif 000007
【図６】
2004251151.tif 000008
【図７】
2004251151.tif 000009